(57)【要約】【課題】装着した帽子が風で飛ばされない装具を提供する。【解決手段】ばね式やヒンヂ式の髪挟み具の開閉つまみ部や未駆動部に、ばね式クリップのつまみ部や安全ピンの未駆動ピンを固定又は動き自由に留めて、ばね式クリップの挟み部や安全ピンの駆動ピンで帽子の内側に留める。又は細管を髪挟み具の開閉つまみ部やヒンヂ式髪挟み具の未駆動部に固定又は動き自由に留めて、帽子の外部から頭部のあるピンを内部に通して、細管の中に入れる。これらの髪挟み具を頭髪に挟み留めて、帽子を被る。【選択図】図１
2005220504.tif 000002
【特許請求の範囲】
ばね式挟みクリップを開閉させるつまみ部又は安全ピンの未駆動ピン或いは細管を、髪挟み具の開閉つまみ部や未駆動部に動き自由に又は不動に留め、ばね式挟みクリップの挟み部又は安全ピンの駆動ピンで帽子の内側に留めて、髪挟み具の髪挟み開閉部で帽子を頭髪に留めるか、頭部のあるピンを帽子の外部から通して、細管の中に入れて、髪挟み具の髪挟み開閉部で帽子を頭髪に固定する装具。
【発明の詳細な説明】
【技術分野】
【０００１】  本発明は、風によって帽子が頭から飛ばされない装具に関するものである。
【背景技術】
【０００２】  従来、帽子が風により飛ばされない方法として、帽子に付けたゴム紐で顎に掛けたり、鎖や紐で身体の一部に結んだりしていた。【０００３】
【技術文献】
特許公開公報２００２−１３８３２１
【発明の開示】
【発明が解決しようとする課題】
【０００４】  従来の技術の内、帽子に顎紐を付ける方法は、大人のファションとしては抵抗があった。又帽子を鎖や紐で身体に付けておく方法も、風で帽子が頭から飛ばされることを防ぐことは出来ず、その時の、はっとするストレスは避けられないものであった。【０００５】  特許公開公報２００２−１３８３２１の技術は、帽子に比較的大きな通気穴のない帽子には、適用出来ない方法であり、その穴を開けるための帽子への加工を必要としていた。又帽子の外部に、突起具が出るのを嫌う人もあった。
【課題を解決するための手段】
【０００６】  ばね式挟みクリップを開閉させるつまみ部を髪挟み具の開閉つまみ部や不動部に動き自由か、固定して留め、ばね式挟みクリップの挟み部で帽子の内側に留めて、髪挟み具の開閉つまみ部の操作による髪挟み開閉部やヒンヂ式開閉部で帽子を髪に挟み留める。或いは、安全ピンの未駆動ピンをばね式やヒンヂ式の髪挟み具の開閉つまみ部や不動部に動き自由か、固定して留め、安全ピンの駆動ピンを帽子の内側に留めて、髪挟み具の開閉つまみ部の操作による髪挟み開閉部で帽子を髪に挟み留める。【０００７】  又は、細管をばね式やヒンヂ式の髪挟み具の不動部に動き自由か、固定して留め、帽子に開けた細孔に、帽子を通過しない頭部のあるピンを帽子の外から通して、細管の細孔に入れて、髪挟み具の髪挟み開閉部で帽子を髪に留める。細管とそれに挿入するピンを長くすることによって、帽子を被っている間にピンが筒状体から抜けて、頭を傷付けることは無い。
【発明の効果】
【０００８】  髪挟み具と帽子とが多少ずれ動いても、帽子が頭から離れることはない。
風で帽子が頭から飛ぶことのない価格的にも安い髪留め装具である。
頭部のあるピンの頭部を小さくしておけば、又その色を帽子の色に合わせるようにすれば、目立つことはない。帽子にファッション性を求める人には、ピンの頭部を造花や鳥の羽或いは昆虫や鳥獣類の模造具等にすれば、帽子に種々の装飾性を持たせることも合わせて出来る。帽子のピン孔は細く、帽子を傷つけることもない。
【発明を実施するための最良の形態】
【０００９】  以下、本発明の実施の形態について、実施例により説明する。
図１は、帽子１の裏面において、ばね式挟みクリップ２の開閉つまみ部３をばね式髪挟み具５の開閉つまみ部６に動き自由に留めて、ばね式挟みクリップ２の開閉挟み部４で帽子に留めた状態を示している。【００１０】  図２は、図１のばね式挟みクリップ２をばね式髪挟み具５に留めた状態を示している。
ばね式挟みクリップ２の開閉つまみ部３をばね式髪挟み具５の開閉つまみ部６に、留め具で動き自由に留めてあるが、固定して留めても良い。髪挟み具５の二つある開閉つまみ部６のどちらに留めても良い。又帽子に留めるクリップの代わりに、後述する安全ピンの未駆動ピンを固定したり、動き自由に留めてもよい。【００１１】  図３は、ヒンヂ式髪挟み具７の未駆動部８に安全ピン９の未駆動ピン１０を動き自由に、取り付け部品１１を介して留めてある状態を示している。未駆動ピン１０は、取り付け部品１１を介してスムーズに動く。取り付け部品１１は、金属製でも良いし、硬質樹脂でも良い。又ヒンヂ式髪挟み具７の未駆動部８に回転して動くように留めても良い。或いは未駆動ピン１０を強力な接着テープなどでヒンヂ式髪挟み具７の未駆動部８に留めても良い。【００１２】  図７は、安全ピン９の未駆動ピン１０をセットした取り付け部品１１の縦断面図であるが、ヒンヂ式髪挟み具の未駆動部８に開けた孔に、留め具Ａを通して両側を抜けないように、かしめセットして、安全ピンの未駆動ピン１０を挟んで留め具Ｂを留め具Ａに溶接か、接着した状態を示している、安全ピンの未駆動ピン１０が前後左右に動く実施例である。【００１３】  ヒンヂ式髪挟み具７は、開閉部１２がボタン１３を押すことによって、支点１４を軸に開き、又戻して未駆動部８８に固定する。その開閉部１２と未駆動部８８によって毛髪を挟み留めている。本品によって、帽子を毛髪に留めるときは、帽子を被ったときの安定する位置で安全ピン９の駆動ピン１５により帽子の裏面に差し留め、ヒンヂ式髪挟み具７の開閉部１２を開いて髪を適宜挟みその未駆動部８８に挟み留める。【００１４】  ヒンヂ式髪挟み具７に取り付ける帽子留め具は、ばね式挟みクリップ２でも良い。即ちヒンヂ式髪挟み具７の未駆動部８に、ばね式挟みクリップ２の開閉つまみ部３を動き自由か或いは固定して留めて、帽子の裏面には、ばね式挟みクリップ２で留める方式を採用しても良い。【００１５】  図４は、ばね式髪挟み具５の開閉つまみ部６に細管１６を固定又は動き自由に留め、管の中に頭部１７を固定したピン１８を挿入した状態を示している。細管１６は、図では、上の開閉つまみ部６に付けてあるが、反対側の開閉つまみ部に付けても良い。又ヒンヂ式髪挟み具の未駆動部８に付けてもよい。【００１６】  細管１６を動き自由に付けるには、図８の縦断面図のごとく、細管の両壁とばね式髪挟み具５の開閉つまみ部６やヒンヂ式髪挟み具７の未駆動部８に細孔を開けて、管が動くようにして、頭部のある留め具Ｃを通して、抜けないように先端をかしめておく。細管に開けた孔の髪挟み具側の径は留め具Ｃの頭部が通らない大きさに小さく加工しておく。【００１７】  ピン１８は、金属製であれば、錆びない材質かその処理をした物、或いは硬質樹脂の細線が良い。太さは例えば０．３ｍｍから１．０ｍｍの線を使う。頭部と反対側の先端は、身体を傷付けないように曲面にしておく。長さは、帽子を使用したとき、細管から外に出ない方が良い。そのためにも、細管は長い方が良い。ピン１８に固設した頭部１７の大きさは、ピン１８の太さよりは大きいが、帽子の既に開けてある通気孔にピンを通す場合を含め、帽子の内外���は通らない大きさであれば良い。又一般には、帽子の外部の色と同じか、似通った色とする。帽子のピンポイントとして、ファッション的な色彩を選ぶ事も出来る。頭部１７の形状は、球形ばかりでなく、自由な形状が選択出来る。【００１８】  図６は、ピン１８の頭部１７が帽子の中には入らないことを前提にして、頭部を鳥の羽としてピン１８に固定したものである。その他鳥獣類や昆虫の模型や造花など模造具１９にして、帽子にファッション性を付与した機能も併せ持たせることも出来る。
【図面の簡単な説明】
【００１９】
【図１】ばね式髪挟み具の開閉つまみ部に、ばね式挟みクリップの開閉つまみ部を動き自由に留め、ばね式挟みクリップの挟み部で帽子の裏面に挟み留めた状態を示す図である。
【図２】ばね式髪挟み具の開閉つまみ部にばね式挟みクリップの開閉つまみ部を動き自由に留めたばね式髪挟み具の斜視図である。
【図３】ヒンヂ式髪挟み具の固定部に安全ピンの未駆動ピンを動き自由に留めた状態の斜視図である。
【図４】ばね式髪挟み具の開閉つまみ部の内側に細管を留め、細管の中に頭部のあるピンを挿入した状態の斜視図である。
【図５】細管をばね式髪挟み具やヒンヂ式髪挟み具の開閉つまみ部や固定部に留め、帽子の中で帽子外部より頭部のあるピンを髪挟み部の細管中に通し入れた状態の帽子の斜視図である。
【図６】図５のピンの頭部を鳥の羽様の模造具にした帽子の斜視図である。
【符号の説明】
【００２０】  １  帽子                              ２    ばね式挟みクリップ
３  ばね式挟みクリップの開閉つまみ部  ４    ばね式挟みクリップの開閉挟み部
５  ばね式髪挟み具                    ６    ばね式髪挟み具の開閉つまみ部
７  ヒンヂ式髪挟み具                  ８    ヒンヂ式髪挟み具の未駆動部
８８  ヒンヂ式髪挟み具の未駆動部
９  安全ピン                          １０  未駆動ピン
１１  取り付け部品                      １２  開閉部
１３  ボタン                            １４  支点
１５  駆動ピン                          １６  細管
１７  頭部                              １８  ピン
１９  模造具                              Ａ  留め具
Ｂ  留め具                              Ｃ  留め具
【図１】
2005220504.tif 000003
【図２】
2005220504.tif 000004
【図３】
2005220504.tif 000005
【図４】
2005220504.tif 000006
【図５】
2005220504.tif 000007
【図６】
2005220504.tif 000008
【図７】
2005220504.tif 000009
【図８】
2005220504.tif 000010
【手続補正書】
【提出日】平成16年4月23日(2004.4.23)
【手続補正１】
【補正対象書類名】明細書
【補正対象項目名】００１９
【補正方法】変更
【補正の内容】
【００１９】
【図１】ばね式髪挟み具の開閉つまみ部に、ばね式挟みクリップの開閉つまみ部を動き自由に留め、ばね式挟みクリップの挟み部で帽子の裏面に挟み留めた状態を示す図である。
【図２】ばね式髪挟み具の開閉つまみ部にばね式挟みクリップの開閉つまみ部を動き自由に留めたばね式髪挟み具の斜視図である。
【図３】ヒンヂ式髪挟み具の固定部に安全ピンの未駆動ピンを動き自由に留めた状態の斜視図である。
【図４】ばね式髪挟み具の開閉つまみ部の内側に細管を留め、細管の中に頭部のあるピンを挿入した状態の斜視図である。
【図５】細管をばね式髪挟み具やヒンヂ式髪挟み具の開閉つまみ部や固定部に留め、帽子の中で帽子外部より頭部のあるピンを髪挟み部の細管中に通し入れた状態の帽子の斜視図である。
【図６】図５のピンの頭部を鳥の羽様の模造具にした帽子の斜視図である。
【図７】図３の安全ピンの未駆動ピンを通した取り付け部品をヒンヂ式髪挟み部の未駆動部に留めた状態の縦断面図である。
【図８】図４のピンとそれを通した細管を留め具によってばね式髪挟み具の開閉つまみ部又はヒンヂ式髪挟み部の未駆動部に留めた状態の縦断面図である。